(57)【要約】【課題】夜光性釣糸が本来有する蓄光性蛍光性能を最大限に発揮させることができる実用的な釣用具の提供。【解決手段】蓄光性蛍光釣糸を巻いたリールと釣竿とを用いて魚釣りをする釣用具において、釣竿またはリールに蓄光性蛍光釣糸を励起して発光させる蓄光器を設けてなることを特徴とする。【選択図】    なし【特許請求の範囲】
【請求項１】
蓄光性蛍光釣糸を巻いたリールと釣竿とを用いて魚釣りをする釣用具において、釣竿またはリールに蓄光性蛍光釣糸を励起して発光させる蓄光器を設けてなることを特徴とする釣用具。
【請求項２】
前記釣竿がアウトガイド竿であり、そのアウトガイドとリールとの間に前記蓄光器を設けてなることを特徴とする請求項１に記載の釣用具。
【請求項３】
前記釣竿がインナー竿であり、そのエントラントガイドとリールとの間に前記蓄光器を設けてなることを特徴とする請求項１に記載の釣用具。
【請求項４】
前記リールの本体に前記蓄光器を一体的に設けたことを特徴とする請求項１に記載の釣用具。
【請求項５】
前記蓄光器が、数秒以下の短い時間の照射で蓄光性蛍光釣糸を励起し、輝度３ｍｃｄ／ｍ２  以上に発光させることができる光源を用いた蓄光器であることを特徴とする請求項１〜４のいずれか１項に記載の釣用具。
【請求項６】
前記蓄光器が、５分間照射で蓄光性蛍光釣糸を励起し、初期輝度５０ｍｃｄ／ｍ２  以上、１０分後の残光輝度１０ｍｃｄ／ｍ２  以上に発光させることができる光源を用いた蓄光器であることを特徴とする請求項１〜４のいずれか１項に記載の釣用具。
【請求項７】
前記蓄光器の光源がキセノンランプであることを特徴とする請求項１〜６のいずれか１項に記載の釣用具。
【請求項８】
前記蓄光器が、内蔵された光源が発する光が外部に洩れないように遮蔽されていて、蓄光器本体の長さが５０ｃｍ以下であり、且つ蓄光器本体の入口および出口にガイドが設けられ、この蓄光器本体の中に蓄光性蛍光釣糸を通過可能に構成されていることを特徴とする請求項１〜７のいずれか１項に記載の釣用具。
【請求項９】
前記蓄光器本体の長さが２０ｃｍ以下であることを特徴とする請求項８に記載の釣用具。
【発明の詳細な説明】
本発明は、魚釣をするための釣用具に関するものであり、取り分け夜釣り用に適した釣用具に関するものである。
【０００１】
【従来の技術】
従来、魚釣用の釣糸としては、強靱性、耐久性、耐衝撃性などの面で優れたポリアミドやフロロカーボン（ＰＶｄＦ）などの合成樹脂モノフィラメントが主として用いられてきたが、最近になってそうした合成樹脂モノフィラメントに蓄光性蛍光顔料を取り入れることにより、暗闇の中で発光する性能（夜光性）を付与した夜釣り用の釣糸の開発が進められてきた。
【０００２】
かかる夜光性釣糸に関する従来技術としては、例えば吸水率が５重量％以下の熱可塑性樹脂と蓄光性蛍光体とからなる樹脂組成物を構成成分とする発光性モノフィラメントおよびそれからなる夜光性釣糸（例えば、特許文献１参照）、内層に蓄光性蛍光顔料を含有する熱可塑性ポリマーを、最外層に吸水率が５％以下の熱可塑性ポリマーを配した複合繊維からなる夜光性釣糸（例えば、特許文献２参照）、および式Ｓｒｍ  Ａｌｎ  Ｏｍ＋３ｎ／２（ｍ≧２、ｎ≧３）で示されるアルミン酸ストロンチウムを含有する夜光性釣糸（例えば、特許文献３参照）などが既に知られている。
【０００３】
しかしながら、このような夜光性釣糸は、それ自体は蓄光性蛍光性能を有するものの、従来の発光源および発光システムにより発光させて夜釣りに使用した場合には、その発光性能を十分に発揮することができず、実用上必ずしも満足するものといえるものではなかった。
【０００４】
【特許文献１】
特開２００１−８９９２９号公報
【特許文献２】
特開２００１−１２３３２８号公報
【特許文献３】
特開２００２−１２５５４８号公報
【０００５】
【発明が解決しようとする課題】
本発明は、上述した従来技術における問題点の解決を課題として検討した結果達成されたものである。
【０００６】
したがって、本発明の目的は、近年開発が進められている夜光性釣糸が本来有する蓄光性蛍光性能を最大限に発揮させることができる実用的な釣用具を提供することにある。
【０００７】
【課題を解決するための手段】
上記の目的を達成するために、本発明の釣用具は、蓄光性蛍光釣糸を巻いたリールと釣竿とを用いて魚釣りをする釣用具において、釣竿またはリールに蓄光性蛍光釣糸を励起して発光させる蓄光器を設けてなることを特徴とする。
【０００８】
なお、本発明の釣用具においては、
前記釣竿がアウトガイド竿であり、そのアウトガイドとリールとの間に前記蓄光器を設けてなること、
前記釣竿がインナー竿であり、そのエントラントガイドとリールとの間に前記蓄光器を設けてなること、
前記リールの本体に前記蓄光器を一体的に設けたこと、
前記蓄光器が、数秒以下の短い時間の照射で蓄光性蛍光釣糸を励起し、輝度３ｍｃｄ／ｍ２  以上に発光させることができる光源を用いた蓄光器であること、
前記蓄光器が、５分間照射で蓄光性蛍光釣糸を励起し、初期輝度５０ｍｃｄ／ｍ２  以上、１０分後の残光輝度１０ｍｃｄ／ｍ２  以上に発光させることができる光源を用いた蓄光器であること、
前記蓄光器の光源がキセノンランプであること、
前記蓄光器が、内蔵された光源が発する光が外部に洩れないように遮蔽されていて、蓄光器本体の長さが５０ｃｍ以下であり、且つ蓄光器本体の入口および出口にガイドが設けられ、この蓄光器本体の中に蓄光性蛍光釣糸を通過可能に構成されていること、および
前記蓄光器本体の長さが２０ｃｍ以下であること
が、いずれも好ましい態様であり、これらの条件を満たすことによって一層優れた効果の取得を期待することができる。
【０００９】
【発明の実施の形態】
以下に、本発明の釣用具について、図面を参照しつつ詳細に説明する。
【００１０】
図１は本発明の釣用具の第１実施例を示す正面視説明図、図２は本発明の釣用具の第２実施例を示す正面視説明図、図３は本発明の釣用具の第３実施例を示す正面視説明図、図４は本発明で使用する蓄光器の一例を示す斜視説明図である。
本発明の釣用具は、蓄光性蛍光釣糸を巻いたリールと釣竿とを用いて魚釣りをする釣用具において、釣竿またはリールに蓄光性蛍光釣糸を励起して発光させる蓄光器を設けてなることを必須の要件とする。
【００１１】
上記蓄光器として、小型で高性能の発光源を使用することによって、従来に比較して蓄光性蛍光釣糸の発光性能を最大限に発揮させることができ、釣人は夜釣りの醍醐味を堪能することが可能となる。
【００１２】
そして、蓄光性蛍光釣糸としては、上述の公知技術などに基づいて造られた既存の蓄光性蛍光釣糸を、釣竿としてはアウトガイド竿およびインナー竿などの市販メーカー竿を、またリールとしては市販のメーカーのスピニングリール、ベイトリール、電動リール、両軸リール、片軸リールなどを、それぞれ目的に応じて適宜選択して使用することができる。
【００１３】
図１に示した第１実施例は、釣竿としてアウトガイド竿１を使用した例であり、ここで使用するアウトガイド竿１は、一般的には全長が５〜８ｍ、竿の構成本数が５〜７本、仕舞長さが１００〜１３０ｃｍ（元竿に収納される収納式になっているものが多い）、元径が２３〜３５ｍｍであり、構成するそれぞれの竿にアウトガイド３が設けられているものである。このアウトガイド竿１０を用いる場合は、リール２と竿のアウトガイド３の間に蓄光器５を設ければ良いが、竿から釣糸６を繰り出したり、巻き取ったりした時の竿のしなりや竿の操作のしやすさを考慮すると、リール２と第１ガイド３ａの間に、または第１ガイド３ａと第２ガイド３ｂとの間に蓄光器５を設けるのがより好ましい。つまり、リール２と第１ガイド２ａとの間に蓄光器５を設置すれば、この設置個所は竿のしなりが少ない箇所であるため竿が扱いやすいし、第１ガイド３ａと第２ガイド３ｂとの間に蓄光器５を設置すれば、釣糸６が絡まずに出し入れがスムースにいきやすいからである。
【００１４】
図２に示した第２実施例は、釣竿としてインナーガイド竿７を使用した例であり、ここで使用するインナー竿７とは、一般的には全長が５〜６ｍ、竿の構成本数が５本、仕舞長さが１００〜１３０ｃｍ（元竿に収納される収納式）、元径が２３〜２７ｍｍであり、ガイドはインナー竿の中に釣糸を案内するように設けられたエントラントガイド４のみである。このインナー竿７を用いた場合は、リール２とエントラントガイド４の間に蓄光器５を設ければよい。
【００１５】
また、図３に示した第３実施例は、釣竿としてアウトガイド竿１を使用した例ではあるが、リール２の本体２ａに蓄光器５を一体的に設けた点が上述した第１実施例と相違している。このように蓄光器５をリール本体２ａに一体型に設ける場合は、取り扱い上蓄光器部分の長さが１０ｃｍ以下のよりコンパクトなものであることが好ましい。なお、この第３実施例は、インナーガイド竿７に対しても同様に適用することができる。
【００１６】
本発明で使用する蓄光器は、数秒以下（好ましくは０．６秒以下）の短い時間の照射で蓄光性蛍光釣糸を励起し、暗闇ではっきり肉眼で視認できる輝度が３ｍｃｄ／ｍ２  以上（好ましくは２０ｍｃｄ／ｍ２  以上、より好ましくは１００ｍｃｄ／ｍ２  以上）に発光させることができる光源を用いた蓄光器であることが好ましい。
【００１７】
さらに、本発明で使用する蓄光器は、５分間照射で蓄光性蛍光釣糸を励起し、初期輝度が５０ｍｃｄ／ｍ２  以上（好ましくは１００ｍｃｄ／ｍ２  以上、より好ましくは１０００ｍｃｄ／ｍ２  以上）、１０分後の残光輝度が１０ｍｃｄ／ｍ２  以上（好ましくは５０ｍｃｄ／ｍ２  以上、より好ましくは１００ｍｃｄ／ｍ２  以上）に発光させることができる光源を用いた蓄光器であることが好ましい。
【００１８】
また、このような蓄光器の光源としては、具体的には１０００ルックス以上の照度を有するキセノンランプが該当するが、必ずしもこれに限定されるものではなく、できるだけ小型で高い照度を有する光源であればよい。
【００１９】
そして、蓄光器５は、図４にその一例を示したように、内蔵された光源ランプ５ｂが発する光が外部に洩れないにように遮蔽された蓄光器本体５ａ、スイッチ５ｃを備えた電源（電池）ボックス５ｄ、蓄光器本体５ａの両端に設けられた入口ガイド５ｅおよび出口ガイド５からなり、蓄光器本体５ａの中に蓄光性蛍光釣糸６を通過させることができるように構成されている。ここで、光源ランプ５ｂが発する光が蓄光器本体５ａの外部に洩れると、目に眩しくて釣りに支障をきたすという好ましくない傾向が招かれる。
【００２０】
蓄光器本体５ａの長さは、５０ｃｍ以下、特に２０ｃｍ以下であることが好ましく、５０ｃｍを越える場合には、これを竿に取り付けにくくなるばかりか、竿の操作がしにくくなるという好ましくない傾向を生じる。
【００２１】
なお、図４中の符号５は、光源ランプ５ｂからの光を釣糸６側へ反射する集光板である。
【００２２】
また、図示していないが、蓄光器本体５ａに入口ガイド５ｅから出口ガイドに５ｆ沿って釣糸６を本体外部へ容易に取り出せる細い隙間機構を設けておけば、本発明の釣用具に蓄光性蛍光釣糸を通す作業が容易になるばかりか、竿から取り外す時に蓄光性蛍光釣糸をいちいち切断する必要もなくなることから好ましい。
ここで、本発明の釣用具における発光源および発光システムの効果について説明する。
【００２３】
先ず、キセノンランプのような高い照度を有する発光源は、非常に短い時間、通常０．６秒程度で蓄光性蛍光釣糸を励起し、暗闇で発光させることができる。
釣糸を繰り出す速度（１０００ｍ／分程度）は早いが、巻き取り速度は高々３０ｍ／分程度であり、また必要に応じて巻き取り速度は若干の調整が可能である。
【００２４】
巻き取り中の蓄光性蛍光釣糸に対し、連続して０．６秒間光を照射するために必要とする蓄光器本体の長さは、巻き取り速度が５ｍ／分であれば５ｃｍ、巻き取り速度が２０ｍ／分であれば２０ｃｍ、巻き取り速度が５０ｍ／分であれば５０ｃｍあれば良い。
【００２５】
なお、ヘッドランプのような通常の光源を使用する場合には、蓄光性蛍光釣糸を励起するのに長い時間を必要とし、蓄光器本体の長さを５０ｃｍ以下に押さえにくくなるため、本発明のような発光システムを採用することが困難である。
【００２６】
このように、本発明の発光源と発光システムを取り入れた釣用具を用いれば、蓄光性蛍光釣糸の繰り出し・巻き取り操作を繰り返すことにより、効率的に蓄光性釣糸を発光させることができる。また、蓄光器本体の長さを５０ｃｍ以下に押さえられることから、釣竿の操作に支障を来すことも少ない。
【００２７】
本発明の釣用具は、蓄光器を釣竿またはリールに取り付けたまま、夜釣りを連続して行っても良いし、蓄光性蛍光釣糸が発光して必要がなくなれば釣竿またはリールから蓄光器を取り外し、また蓄光性蛍光釣糸の発光輝度が減少した場合には再度取り付けることなどによって、必要に応じて蓄光器を適宜脱着して夜釣り行うこともできる。
【００２８】
そして、このような本発明の釣用具を用いれば、蓄光性蛍光釣糸をほぼ一晩中連続して発光させることができ、暗闇でも釣り人の目にはっきり糸筋が視認できることから、蓄光性蛍光釣糸の発光性能を最大限に発揮させることができ、釣人は夜釣りの醍醐味を堪能することが可能となる。
【００２９】
【実施例】
次に、本発明を以下実施例に基づいて説明するが、本発明の態様はこの限りではない。
［実施例１］
竿としてシマノ製アウトガイド竿ホリデー磯ＸＴ３号、リールとしてシマノ製スピニングリールバイオマスター２５００、蓄光性蛍光釣糸として特開２００２−１２５５４８  号公報の実施例１にしたがって得た釣糸３号（直径０．２８５ｍｍ）を、それぞれ用い、本体の長さが２０ｃｍのキセノンランプ製蓄光器をリールと第１ガイドとの間に取り付け、夜釣り（セイゴ釣り）行った。
【００３０】
先ず、蓄光性蛍光釣糸を発光させるための準備として、蓄光器の光源の光を当てながら（スイッチＯＮの状態）、約５０ｍの釣糸を竿先から繰り出し、さらに約２０ｍ／分の速度でリールに糸を巻き取った。この操作を３回繰り返した後、蓄光器の光源のスイッチをＯＦＦにして、約５０ｍ糸を竿先から繰り出して夜釣りを行った。
【００３１】
その結果、蓄光性蛍光釣糸が連続して発光し、糸筋がはっきり視認できた。６０分後の発光輝度は初期輝度の１５％程度に低下したが、まだ十分視認できた。２時間後やや発光輝度が不足気味になったので、再度上記蓄光器の操作を行い夜釣りを継続した。このような操作を繰り返して、ほぼ一晩中釣糸がはっきり視認できる状態で夜釣りを行うことができた。
［実施例２］
蓄光器の設置個所をアウトガイドの第１ガイドと第２ガイドの間としたこと以外は、実施例１と同様な釣用具で夜釣り（チヌ釣り）を行った。
【００３２】
先ず、蓄光性蛍光釣糸を発光させるための準備として、本発明の釣用具の光源の光を当てながら（スイッチＯＮの状態）、約３０ｍの釣糸を竿先から繰り出し、さらに約２０ｍ／分の速度でリールに巻き取った。この操作を３回繰り返した後、蓄光器の光源のスイッチをＯＦＦにし、さらに蓄光器を竿から取り外して、約３０ｍ糸を竿先から繰り出して夜釣りを行った。
【００３３】
その結果、蓄光性蛍光釣糸が連続して発光し、糸筋がはっきり視認できた。６０分後の発光輝度は初期輝度の１５％程度に低下したが、まだ十分視認できた。２時間後やや発光輝度が不足気味になったので、再度蓄光器をアウトガイドの第１ガイドと第２ガイドの間に取り付け、蓄光器の操作を行い夜釣りを継続した。このような操作を繰り返して、ほぼ一晩中釣糸がはっきり視認できる状態で夜釣りを行うことができた。
［実施例３］
竿としてシマノ製インナーガイド竿ＩＧハイスピードアペルト磯ＸＴ２号を使用し、蓄光器をリールとエントラントガイドの間に設置したこと以外は、実施例１と同様な釣用具で夜釣り（チヌ釣り）を行った。
【００３４】
先ず、蓄光性蛍光釣糸を発光させるための準備として、蓄光器の光源の光を当てながら（スイッチＯＮの状態）、約３０ｍの釣糸を竿先から繰り出し、さらに約２０ｍ／分の速度でリールに巻き取った。この操作を３回繰り返した後、蓄光器の光源のスイッチをＯＦＦにして、約３０ｍ糸を竿先から繰り出して夜釣りを行った。
【００３５】
その結果、蓄光性蛍光釣糸が連続して発光し、糸筋がはっきり視認できた。６０分後の発光輝度は初期輝度の１５％程度に低下したが、まだ十分視認できた。２時間後やや発光輝度が不足気味になったので、再度蓄光器の操作を行い夜釣りを継続した。このような操作を繰り返して、ほぼ一晩中釣糸がはっきり視認できる状態で夜釣りを行うことができた。
［比較例１］
上記蓄光器の替わりに、ナショナルパナソニック製ヘッドランプＢＦ−１８６Ｃを用いたこと以外は、実施例１と同様な釣用具で夜釣り（セイゴ釣り）を行った。
【００３６】
先ず、蓄光性蛍光釣糸を発光させるための準備として、リールに巻かれた蓄光性蛍光釣糸にヘッドランプで約１０分間光を照射した後、約５０ｍ糸を竿先から繰り出して夜釣りを行った。リールの表層部に巻かれていた釣糸部分ははっきり発光するが、内層にいくにしたがって巻かれていた釣糸部分は次第にまだら状態に発光し、さらに内層に巻かれていた釣糸部分は十分に光が当たらないためほとんど発光しなかった。
【００３７】
また、ヘッドランプで約１０分程照射する間、目に光が眩しく好ましい釣りができなかった。
［実施例４］
竿としてシマノ製バスロッドバスワンＸＴベイト、リールとしてシマノ製両軸リールバスワンＸＴ、蓄光性蛍光釣糸として特開２００２−１２５５４８  号公報の実施例１にしたがって得た釣糸３号（直径０．２８５ｍｍ、１２Ｌｂ）を、それぞれ用い、蓄光器本体の長さが１０ｃｍのキセノンランプ製蓄光器をリール本体と一体型に取り付け、夜釣り（バスフィッシング）を行った。
【００３８】
先ず、蓄光性蛍光釣糸を発光させるための準備として、蓄光器の光源の光を当てながら（スイッチＯＮの状態）、約２０ｍの釣糸を竿先から繰り出し、さらに約１０ｍ／分の速度でリールに糸を巻き取った。この操作を３回繰り返した後、蓄光器の光源のスイッチをＯＦＦにして、約２０ｍ糸を竿先から繰り出して夜釣りを行った。
【００３９】
その結果、蓄光性蛍光釣糸が連続して発光し、糸筋がはっきり視認できた。６０分後の発光輝度は初期輝度の１５％程度に低下したが、まだ十分視認できた。２時間後やや発光輝度が不足気味になったので、再度蓄光器の操作を行い夜釣りを継続した。このような操作を繰り返して、ほぼ一晩中釣糸がはっきり視認できる状態で夜釣りを行うことができた。
【００４０】
【発明の効果】
以上説明したように、本発明の釣用具によれは、蓄光性蛍光釣糸をほぼ一晩中連続して発光させることができ、暗闇でも釣り人の目にはっきり糸筋が視認できることから、蓄光性蛍光釣糸の発光性能を最大限に発揮させることができ、釣人は夜釣りの醍醐味を堪能することが可能となる。
【図面の簡単な説明】
【図１】図１は本発明の釣用具の第１実施例を示す正面視説明図である。
【図２】図２は本発明の釣用具の第２実施例を示す正面視説明図である。
【図３】図３は本発明の釣用具の第３実施例を示す正面視説明図である。
【図４】図４は本発明で使用する蓄光器の一例を示す斜視説明図である。
【符号の説明】
１        アウトガイド竿
２        リール
３        ガイド
４        エントラントガイド
５        蓄光器
５ａ    蓄光器本体
５ｂ    光源ランプ
５ｃ    スイッチ
５ｄ    電源ボックス
５ｅ    入口ガイド
５ｆ    出口ガイド
５ｇ    集光板
６        釣糸
７        インナー竿
【図１】
2004298048.tif 000002
【図２】
2004298048.tif 000003
【図３】
2004298048.tif 000004
【図４】
2004298048.tif 000005